(57)【特許請求の範囲】
【請求項１】
スプリンクラーヘッドと、
消火水主管である一次側配管及びスプリンクラーヘッドに消火用の水を導く二次側配管からなる給水配管と、
一次側配管と二次側配管の間に設けられた弁部と、
貯水槽内の水を吸い込み加圧して前記給水配管の一次側配管に送り込む加圧送水装置と、
スプリンクラーヘッドよりも早く火災を検知して火災信号を出力する火災感知器と、
火災感知器からの火災信号を基に加圧送水装置及び弁部の開閉を制御する制御部と、
前記二次側配管の立ち上げ部に吸引分岐配管の一端側を接続し、当該吸引分岐配管の他端側を排水管に連通し、排水管の一端を気水分離装置の下部に連通し、気水分離装置の上部を吸引主管を介して真空ポンプに連通し、かつ前記吸引分岐配管に、二次側配管の立ち上げ部側から真空スイッチ、電磁弁の順で配置してなる負圧状態確保手段とを備え、負圧状態確保手段により二次側配管内の水を負圧状態とし、これを維持するようにした負圧湿式スプリンクラー設備において、
吸引分岐配管より下側位置の排水管に水位検出器を設け、
水位検出器より下方に排水管内の水を排出できる排水ポンプを設け、
排水管内の水位が所定の水位以上に達したと水位検出器により検出されたときに排水ポンプを運転し、排水管内の水位が所定位置まで低下したと水位検出器により検出されたときに排水ポンプを停止する手段を設け
たことを特徴とする負圧湿式スプリンクラー設備。
【請求項２】
排水ポンプの上側で排水管を分岐させ、その分岐排水管の末端に逆止弁を設けたことを特徴とする請求項１に記載の負圧湿式スプリンクラー設備。
【請求項３】
スプリンクラーヘッドと、
消火水主管である一次側配管及びスプリンクラーヘッドに消火用の水を導く二次側配管からなる給水配管と、
一次側配管と二次側配管の間に設けられた弁部と、
貯水槽内の水を吸い込み加圧して前記給水配管の一次側配管に送り込む加圧送水装置と、
スプリンクラーヘッドよりも早く火災を検知して火災信号を出力する火災感知器と、
火災感知器からの火災信号を基に加圧送水装置及び弁部の開閉を制御する制御部と、
前記二次側配管の立ち上げ部に吸引分岐配管の一端側を接続し、当該吸引分岐配管の他端側を排水管に連通し、前記吸引分岐配管に、二次側配管の立ち上げ部側から真空スイッチ、電磁弁の順で配置し、
かつ、水と空気を分離する気水分離装置を吸引分岐配管の位置より下側に設け、
前記気水分離装置に、前記気水分離装置内部の水位を検出する水位検出器を設け、
前記排水管の他端側を気水分離装置の下側に連通し、
空気を吸引する真空ポンプを設け、
気水分離装置の上部を吸引管を介して真空ポンプに連通し、
気水分離装置の下部に水を排出する排水ポンプを設け、
気水分離装置に水が流入し水位検出器が所定の上位置に水が達したことを検出したときに排水ポンプを運転し、気水分離装置内の水位が所定の下位置に低下したことを水位検出器が検出したとき排水ポンプを停止する構成としてなり、負圧の確保と水位を一定に確保できる負圧状態及び水位確保手段を備えたことを特徴とする負圧湿式スプリンクラー設備。
【請求項４】
気水分離装置下部に接続される排水管を分岐させ、その分岐排水管の末端に逆止弁を設けたことを特徴とする請求項３に記載の負圧湿式スプリンクラー設備。
【発明の詳細な説明】
【技術分野】
【０００１】
本発明は、低層階でも所定の監視圧力を得ることができる負圧湿式スプリンクラー設備に関するものである。
【背景技術】
【０００２】
近年、負圧湿式予作動式スプリンクラー設備が、いくつかの物件に施工されている。この負圧湿式予作動式スプリンクラー設備は、予作動弁の二次側配管内に水を充たし、二次側配管内を常時負圧化することにより、スプリンクラーヘッドに破損等が生じた場合に、誤放水を防止し、かつ火災時に速やかに放水をする機能を備えたものである。
【０００３】
図５及び図６は、上述した従来の負圧湿式予作動式スプリンクラー設備の一例を示す概略説明図である。
この図５及び図６において、負圧湿式予作動式スプリンクラー設備１０１は、各階に設置基準に従って設置されたスプリンクラーヘッド１０２と、消火水主管である一次側配管１０３及び各階のスプリンクラーヘッド１０２に消火用の水を導く二次側配管１０４からなる給水配管１０５と、一次側配管１０３と二次側配管１０４の間に設けられた負圧湿式予作動弁１０６と、貯水槽１０７内の水を吸い込み加圧して前記給水配管１０５の一次側配管１０３に送り込む加圧送水装置１０８と、スプリンクラーヘッド１０２よりも早く火災を検知して火災信号を出力する火災感知器１０９と、火災感知器１０９からの火災信号を基に加圧送水装置１０８及び負圧湿式予作動弁１０６の開閉を制御する制御部１１０と、前記二次側配管１０４内を負圧状態に維持する負圧状態確保手段１１１とから構成されている。
【０００４】
さらに詳説すると、スプリンクラーヘッド１０２は、個々に独立して作動するものである。
給水配管１０５は、前記加圧送水装置１０８に接続された一次側配管１０３、各スプリンクラーヘッド１０２に接続され二次側配管１０４、及び一次側配管１０３と二次側配管１０４との間を負圧湿式予作動弁１０６で連通し、前記加圧送水装置１０８からの消火用の水を導く配管系統である。
【０００５】
火災感知器１０９は、スプリンクラーヘッド１０２と同じ階に設置され、スプリンクラーヘッド１０２よりも早く火災を検知して火災信号を出力するセンサーである。
【０００６】
負圧状態確保手段１１１は、前記各階の二次側配管１０４の立ち上げ分岐管１０４ａに吸引分岐配管１１２ａの一端側を接続し、当該吸引分岐配管１１２ａの他端側を排水管１１３に連通し、排水管１１３の一端を気水分離装置１１４、吸引主管１１２の順で経由して真空ポンプ１１５に連通し、排水管１１３の他端を貯水槽１０７の水内に開放し、かつ、気水分離装置１１４を最上階の吸引分岐配管１１２ａの上部に設け、かつ前記吸引分岐配管１１２ａに、立ち上げ分岐管１０４ａの側から真空スイッチ１１６、電磁弁１１７の順で配置してなり、前記二次側配管１０４の内部を負圧状態に維持することができる。
【０００７】
また、二次側配管１０４の末端には、末端試験装置１１８が設けられている。
なお、火災感知器１０９は図示しない信号線によって防災受信盤１２０に接続されている。また、前記防災受信盤１２０は、図示しない信号線によって制御部１１０に接続されている。火災感知器１０９で検出した火災信号は図示しない信号線を介して防災受信盤１２０で受信されると、防災受信盤１２０において所定の受信処理を行うほか、その信号を図示しない信号線を介して制御部１１０に送出する。制御部１１０は、図示しない信号線で負圧湿式予作動弁１０６に接続されている。
【０００８】
なお、図面中の各図において表示される弁のシンボルが、黒く塗りつぶされている場合は弁が閉止状態であることを示し、塗りつぶされていない場合は弁が開放状態であることを示している。
【０００９】
負圧湿式予作動式スプリンクラー設備１０１において、通常時、一次側配管１０３には加圧状態の水が充填されており、また、二次側配管１０４には負圧状態の水が充填されている。
【００１０】
真空スイッチ１１６は、図示しない信号線を介して制御部１１０に接続されており、制御部１１０は図示しない信号線で電磁弁１１７に接続されている。真空スイッチ１１６が圧力上昇を検出すると、その検出信号が制御部１１０に与えられる。制御部１１０は、その信号を基に電磁弁１１７を開放するようになっている。
【００１１】
［火災発生時の動作］
火災が発生すると、火災発生部直上かその付近の火災感知器１０９が火災を検出して火災信号を発生する。この火災信号は、防災受信盤１２０を経由して制御部１１０に送出される。制御部１１０は、負圧湿式予作動弁１０６を開放状態にするとともに、加圧送水装置１０８を作動させる。これにより、一次側配管１０３、負圧湿式予作動弁１０６、二次側配管１０４を介してスプリンクラーヘッド１０２に消火用の水が圧送されて、二次側配管１０４内が負圧状態から加圧状態と変化し、スプリンクラーヘッド１０２から消火用の水が散布される。これにより、火災を最小限に防止することができる。
【００１２】
［誤放水時の動作］
スプリンクラーヘッド１０２が破損すると、スプリンクラーヘッド１０２の開口部より空気が流入し、二次側配管１０４内の圧力が上昇する。すると、真空スイッチ１１６は、これを検出すると検出信号を制御部１１０に送出する。制御部１１０は、その検出信号を基に電磁弁１１７を開放させる。そして、真空ポンプ１１５の運転により当該故障スプリンクラーヘッド１０２の接続されている二次側配管１０４の内部を連続して吸引する。これにより、スプリンクラーヘッド１０２からの放水が防止できる。
【００１３】
気水分離器１１４にて、空気と、分離された水は、排水管１１３を経由して貯水槽１０７へ排水されるが、排水管１１３内は負圧状態であるため、図６に示すように、真空ポンプ１１５の吸引力に応じた高さまで水が引き上げられており、その高さを超えた水が排水管１１３に溜まることになる。このとき、排水管１１３の各部には高さに応じた水頭圧が生じることになる。
【００１４】
例えば、真空ポンプ１１５の吸引圧力が−０．０８〔ＭＰａ〕であった場合、水は貯水槽の水面から高さ約８〔ｍ〕まで引き上げられる。なお、ＷＬは水位を示す。このような状態で排水管１１３の水位ＷＬより５〔ｍ〕低い位置に真空スイッチ１１６を設置した場合、真空スイッチ１１６の付近には５〔ｍ〕の水頭圧が生じることになる。これは、配管内における水位ＷＬよりも上層階に設置した真空スイッチ１１６の監視圧力は−０．０８〔ＭＰａ〕であったとしても、排水管１１３内の水の水位よりも下層階に設置した真空スイッチ１１６にあっては、その監視圧力が−０．０３〔ＭＰａ〕にしかならないことになる。
【００１５】
また、建築物への給水配管１０５にあっては、建築物の梁や空調設備のダクト等があるため、特に二次側配管１０４は、これらを迂回するように下側にＵ字状に折曲しなければならず、このような場合にあっては、折曲部に空気が溜まり、それにより水頭圧が生じるため、二次側配管１０４の末端に位置するスプリンクラーヘッド１０２付近の監視圧力はさらに上昇する。
【００１６】
これによりスプリンクラーヘッド１０２の破損や誤作動あるいは配管等の破損があって、スプリンクラーヘッド１０２の誤放水を防止できない恐れがあった。このような理由から、排水管１１３内の水の水位よりも下層階に真空スイッチ１１６を設置する場合にあっては、負圧湿式予作動式スプリンクラー設備を配置することが困難であるという不都合があった。
このような不都合を解消した負圧湿式予作動式スプリンクラー設備としては、例えば特開２０１０−２５３００２号公報に記載されたものがある。前記公報に記載された負圧湿式予作動式スプリンクラー設備は、吸引管の最上階の分岐部の上部に気液分離装置を設け、その気液分離装置の近傍下部の排水配管に空気取り入れ弁を設ける一方、前記排水配管における貯水槽近傍位置に逆止弁を設けると共に前記吸引管における最下階の分岐部の近傍下部に水位検出装置を設け、かつ気水分離装置の上部を遮断弁を設けた吸引主管を介して真空ポンプに連通したことを特徴とするものである。
そして、二次側配管の水が排水管に流入して水位検出装置が動作すると、空気取り入れ弁を開放すると共に遮断弁を閉止させて排水管内の水を重力によって逆止弁を介して貯水槽に排水させている。これにより、排水管内の水位が低くなるため、上記従来の不都合が解消できる。
しかしながら、上記従来の不都合を解消した負圧湿式予作動式スプリンクラー設備にあっては、排水管内の水を排水するために、空気取り入れ弁を開放して排水管内を大気圧に戻すため、排水管内の排水を処理している時間は、排水管内の負圧吸引作用が停止してしまっていることから、この時間内にスプリンクラーヘッドに破損等が発生して吸気を開始したとしても吸水動作が遅れてしまいスプリンクラーヘッドからの誤放水を防止できない恐れがあった。
【発明の概要】
【発明が解決しようとする課題】
【００１７】
本発明は、上述した従来技術の欠点を解消し、低層階でも所定の監視圧力を得ることができる負圧湿式予作動式スプリンクラー設備を提供することを目的とする。
【課題を解決するための手段】
【００１８】
上記目的を達成するために、請求項１記載の発明は、スプリンクラーヘッドと、
消火水主管である一次側配管及びスプリンクラーヘッドに消火用の水を導く二次側配管からなる給水配管と、
一次側配管と二次側配管の間に設けられた弁部と、
貯水槽内の水を吸い込み加圧して前記給水配管の一次側配管に送り込む加圧送水装置と、
スプリンクラーヘッドよりも早く火災を検知して火災信号を出力する火災感知器と、
火災感知器からの火災信号を基に加圧送水装置及び弁部の開閉を制御する制御部と、
前記二次側配管の立ち上げ部に吸引分岐配管の一端側を接続し、当該吸引分岐配管の他端側を排水管に連通し、排水管の一端を気水分離装置の下部に連通し、気水分離装置の上部を吸引主管を介して真空ポンプに連通し、かつ前記吸引分岐配管に、二次側配管の立ち上げ部側から真空スイッチ、電磁弁の順で配置してなる負圧状態確保手段とを備え、負圧状態確保手段により二次側配管内の水を負圧状態とし、これを維持するようにした負圧湿式スプリンクラー設備において、
吸引分岐配管より下側位置の排水管に水位検出器を設け、
水位検出器より下方に排水管内の水を排出できる排水ポンプを設け、
排水管内の水位が所定の水位以上に達したと水位検出器により検出されたときに排水ポンプを運転し、排水管内の水位が所定位置まで低下したと水位検出器により検出されたときに排水ポンプを停止する手段を設け
たことを特徴とするものである。
【００１９】
また、上記構成において、排水ポンプの上側で排水管を分岐させ、その分岐排水管の末端に逆止弁を設けたことも特徴とするものである。
【００２０】
上記目的を達成するため、請求項３記載の発明は、
スプリンクラーヘッドと、
消火水主管である一次側配管及びスプリンクラーヘッドに消火用の水を導く二次側配管からなる給水配管と、
一次側配管と二次側配管の間に設けられた弁部と、
貯水槽内の水を吸い込み加圧して前記給水配管の一次側配管に送り込む加圧送水装置と、
スプリンクラーヘッドよりも早く火災を検知して火災信号を出力する火災感知器と、
火災感知器からの火災信号を基に加圧送水装置及び弁部の開閉を制御する制御部と、
前記二次側配管の立ち上げ部に吸引分岐配管の一端側を接続し、当該吸引分岐配管の他端側を排水管に連通し、前記吸引分岐配管に、二次側配管の立ち上げ部側から真空スイッチ、電磁弁の順で配置し、
かつ、水と空気を分離する気水分離装置を吸引分岐配管の位置より下側に設け、
前記気水分離装置に、前記気水分離装置内部の水位を検出する水位検出器を設け、
前記排水管の他端側を気水分離装置の下側に連通し、
空気を吸引する真空ポンプを設け、
気水分離装置の上部を吸引管を介して真空ポンプに連通し、
気水分離装置の下部に水を排出する排水ポンプを設け、
気水分離装置に水が流入し水位検出器が所定の上位置に水が達したことを検出したときに排水ポンプを運転し、気水分離装置内の水位が所定の下位置に低下したことを水位検出器が検出したとき排水ポンプを停止する構成としてなり、負圧の確保と水位を一定に確保できる負圧状態及び水位確保手段を備えたことを特徴とするものである。
【００２１】
また、上記構成において、気水分離装置下部に接続される排水管を分岐させ、その分岐排水管の末端に逆止弁を設けたこともその特徴とするものである。
【発明の効果】
【００２２】
本発明では、排水管内において最下層の吸引分岐配管の部分に水が溜まらないようにしたので、最下層に設置した負圧湿式予作動式スプリンクラー設備の監視圧力を上層階と同等とすることができ、負圧湿式予作動式スプリンクラー設備の特徴であるスプリンクラーヘッドの誤作動時や配管の破損時の誤り放水防止効果を階層によらず安定して得ることができる。
【図面の簡単な説明】
【００２３】
【図１】本発明に係る負圧湿式スプリンクラー設備の第１の実施形態における概略的説明図である。
【図２】本発明に係る負圧湿式スプリンクラー設備の第２の実施形態における概略的説明図である。
【図３】本発明に係る負圧湿式スプリンクラー設備のさらに他の実施形態における概略的説明図である。
【図４】本発明に係る負圧湿式スプリンクラー設備のさらに他の実施形態における概略的説明図である。
【図５】従来の負圧湿式予作動式スプリンクラー設備の概略的説明図である。
【図６】従来の負圧湿式予作動式スプリンクラー設備において真空ポンプ作動時の状態を説明するための図である。
【発明を実施するための形態】
【００２４】
以下、本発明を実施するための形態について、図面を参照して説明する。
図１において、符号１は負圧湿式予作動式スプリンクラー設備である。この負圧湿式予作動式スプリンクラー設備１は、各階に設置基準に従って設置されたスプリンクラーヘッド２と、消火水主管である一次側配管３及び各階のスプリンクラーヘッド２に消火用の水を導く二次側配管４からなる給水配管５と、一次側配管３と二次側配管４の間に設けられた負圧湿式予作動弁６と、貯水槽７内の水を吸い込み加圧して前記給水配管５の一次側配管３に送り込む加圧送水装置８と、スプリンクラーヘッド２よりも早く火災を検知して火災信号を出力する火災感知器９と、火災感知器９からの火災信号を基に加圧送水装置８及び負圧湿式予作動弁６の開閉を制御する制御部１０と、前記二次側配管４内を負圧状態に維持する負圧状態確保手段１１とを有している。
【００２５】
さらに説明すると、スプリンクラーヘッド２は、個々に独立して作動するものである。
給水配管５は、前記加圧送水装置８に接続された一次側配管３と、各スプリンクラーヘッド２に接続された二次側配管４とからなり、一次側配管３と二次側配管４との間を負圧湿式予作動弁６で連通し、前記加圧送水装置８からの消火用の水を導くことができるようになっている。
【００２６】
火災感知器９は、スプリンクラーヘッド２と同じ階に設置され、スプリンクラーヘッド２よりも早く火災を検知して火災信号を出力するセンサーである。
負圧状態確保手段１１は、各階の二次側配管４の立ち上げ分岐管４ａに吸引分岐配管１２ａの一端側を接続し、当該吸引分岐配管１２ａの他端側を排水管１３に連通し、排水管１３の一端を気水分離装置１４の下部に連通し、気水分離装置１４の上部を吸引主管１２を介して真空ポンプ１５に連通し、排水管１３の末端に逆止弁１６を設けて貯水槽７の水が排水管１３側に流れ込まないようにし、最下層階の吸引分岐配管１２ａより下側に水位検出器１７を設け、水位検出器１７より下方で排水管１３内の水を排出できる排水ポンプ１８を設け、この排水ポンプ１８の吐出管１３ａを水槽７の水の中まで延長し、排水管１３の末端１３ｂに逆止弁１６を設けて貯水槽７の水が排水管１３側に流れ込まないようにし、かつ前記吸引分岐配管１２ａに、立ち上げ分岐管４ａの側から真空スイッチ２０、電磁弁２１の順で配置してなり、真空ポンプ１５により二次側配管４の内部を負圧状態に維持するようになっている。
【００２７】
また、二次側配管４の末端には、末端試験装置２２が設けられている。
なお、火災感知器９は図示しない信号線によって防災受信盤２５に接続されている。また、前記防災受信盤２５は、図示しない信号線によって制御部１０に接続されている。火災感知器９で検出した火災信号は図示しない信号線を介して防災受信盤２５で受信されると、防災受信盤２５において所定の受信処理を行うほか、その信号を図示しない信号線を介して制御部１０に送出する。制御部１０は、図示しない信号線を介して負圧湿式予作動弁６に接続されている。
【００２８】
なお、図面中の各図において表示される弁のシンボルが、黒く塗りつぶされている場合は弁が閉止状態であることを示し、塗りつぶされていない場合は弁が開放状態であることを示している。以下、同じとする。
【００２９】
この負圧湿式予作動式スプリンクラー設備１において、通常時、一次側配管３には加圧状態の水が充填されており、また、二次側配管４には負圧状態の水が充填されている。
【００３０】
真空スイッチ２０は、図示しない信号線を介して制御部１０に接続されており、制御部１０は図示しない信号線で電磁弁２１に接続されている。真空スイッチ２０が圧力上昇を検出すると、その検出信号が制御部１０に与えられる。制御部１０は、その信号を基に電磁弁２１を開放するようになっている。そして、二次側配管４は、吸引分岐配管１２ａ、排水管１３、気水分離装置１４及び吸引主管１２を介して真空ポンプ１５と連通状態になり、真空ポンプ１５の運転により二次側配管４内を負圧状態に保つことができる。
【００３１】
また、本実施形態では、図１に示すように、最下層の吸引分岐配管１２ａ（符号Ｐ）より下方の排水管１３に水位検出器１７を設け、この水位検出器１７よりさらに下方で排水管１３内の水を排出できる排水ポンプ１８を設け、この排水ポンプ１８の吐出管１３ａを水槽７の水の中にまで延長し、排水管１３の末端１３ｂに逆止弁１６を設け、貯水槽７の水が排水管１３側に流れ込まないようにし、水位検出器１７より上側に水があるときに排水ポンプ１８を運転し、水位検出器１７より所定位置まで排水管１３内の水位が低下したときに排水ポンプ１８を停止するようにしたものである。
【００３２】
真空ポンプ１５で吸引し、二次側配管４を負圧化したときに、余分な水は排水管１３に流れ込み排水管１３の水位が上昇する。
【００３３】
水位検出器１７により排水管１３内の水位が所定の水位以上に達したと検出されたときに、排水ポンプ１８を運転して排水管１３内の水を排出する。
水位検出器１７により排水管１３内の水位が十分に低下したと検出されたときに、排水ポンプ１８を停止する。なお、排水ポンプ１８は、排水管１３の方向に水が流入しない構造のポンプである。
【００３４】
排水管１３の末端１３ｂには、逆止弁１６が設けられているため、真空ポンプ１５が運転されても、貯水槽７の水を吸引することがない。
このように運転されているので、排水管１３の水位が最下層階の吸引分岐配管１２ａ（符号Ｐ）より低くなるため、最下層階でも水頭圧の影響を受けることがなくなり、上層階と同様に負圧化できる。
【００３５】
本実施形態によれば、排水管１３内において最下層の吸引分岐配管１２ａ（符号Ｐ）より下側に水が留まらないようにしたので、最下層に設置した負圧湿式予作動式スプリンクラー設備の監視圧力を上層階と同等とすることができ、負圧湿式予作動式スプリンクラー設備の特徴であるスプリンクラーヘッドの誤作動時や配管の破損時の誤り放水防止効果を階層によらず安定して得ることができる。
【００３６】
図２は、本発明に係る負圧湿式予作動式スプリンクラー設備の第２の実施形態における概略的説明図であって、図１に示す第１の実施形態と同一構成要素には同一の符号を付し、同一構成部分の説明を省略し、特徴部分のみ説明することにする。
【００３７】
第２の実施形態では、図２に示すように、排水管１３の最上部に配置していた気水分離器は廃止する。また、排水管１３の最上部は、最上階の吸引分岐配管１２ａに直結する。
【００３８】
この第２の実施形態では、最下層の吸引分岐配管１２ａ（符号Ｐ）より下側に、気水分離タンク３０が配置されるようにし、気水分離タンク３０の下側を弁３１を設けた導管３２（分岐管３２）を介して排水管１３に連通し、気水分離タンク３０の内部には水位検出器３３を設け、かつ空気を吸引する真空ポンプ３５を設けて、気水分離タンク３０の上部を吸引管３６を介して真空ポンプ３５に連通し、気水分離タンク３０の下部に水を排出する排水ポンプ３７を設け、この排水ポンプ３７の吐出管１３ａを水槽７の水の中にまで延長し、排水管１３の末端１３ｂに逆止弁３８を設けて、貯水槽７の水が排水管１３側に流れ込まないようにし、水位検出器３３からの信号に応じて排水ポンプ３７を運転・停止するようにしたものである。
【００３９】
これらにより、負圧の確保と、水位を一定に確保できる負圧状態及び水位確保手段が構成されるものである。なお、排水ポンプ３７は、気水分離タンク３０、排水管１３の方向に水が流入しない構造のポンプである。
【００４０】
すなわち、気水分離タンク３０に水が流入し水位検出器３３が所定の上位置に水が達したことを検出したときに排水ポンプ３７を運転し、気水分離タンク３０内の水位が所定の下位置に低下したと水位検出器３３が検出したとき排水ポンプ３７の運転を停止するようにしたものである。
【００４１】
これらにより、最下層階Ｐであっても、負圧の確保と、水位を一定に確保できるので、最下層に設置した負圧湿式予作動式スプリンクラー設備の監視圧力を上層階と同等とすることができ、負圧湿式予作動式スプリンクラー設備の特徴であるスプリンクラーヘッドの誤作動時や配管の破損時の誤り放水防止効果を階層によらず安定して得ることができる。
【００４２】
なお、第１の実施形態では、図１に示すように排水管１３の末端１３ｂに逆止弁１６を設ける構成とし、また、第２の実施形態では、図２に示すように排水管１３の末端１３ｂに逆止弁３８を設ける構成としたが、排水ポンプ（１８、３７）の排水能力が大きい場合には、図３や図４に示すように排水管１３の末端１３ｂと逆止弁１６（３８）を省略して、図３に示すように排水ポンプ１８の吸入口に排水管１３を直結し、あるいは、図４に示すように気水分離タンク３０の導管３２に直結する構成としてもよい。また、スプリンクラーヘッドの破損やその他不測の事態の発生により排水管１３に水が排水される場合でも、消火設備上、予め排水管１３に送られる排水量が少ないことがわかっており、既存の排水ポンプの排水能力でも充分排水可能な場合には、図３や図４に示すような直結構造にすることができる。
【符号の説明】
【００４３】
１  負圧湿式予作動式スプリンクラー設備
２  スプリンクラーヘッド
３  一次側配管
４  二次側配管
５  給水配管
６  負圧湿式予作動弁
８  加圧送水装置
９  火災感知器
１０  制御部
１１  負圧状態確保手段
１２ａ  吸引分岐配管
１３  排水管
１４  気水分離装置
１５  真空ポンプ
１６  逆止弁
１７  水位検出器
１８  排水ポンプ
１９  末端試験弁
２０  真空スイッチ
２１  電磁弁
２２  末端試験装置
２５  防災受信盤
３０  気水分離タンク
３１  弁
３２  分岐管
３３  水位検出器
３５  真空ポンプ
３６  吸引管
３７  排水ポンプ
３８  逆止弁
【図１】
0005601988.tif 000002
【図２】
0005601988.tif 000003
【図３】
0005601988.tif 000004
【図４】
0005601988.tif 000005
【図５】
0005601988.tif 000006
【図６】
0005601988.tif 000007